(57)【要約】【課題】  映像信号の受信レベルに応じて表示画面を変化させる映像信号受信表示装置若しくは画面表示制御方法であって、個々のユーザの要望に応え得るユーザフレンドリーな映像信号受信表示装置若しくは画面表示制御方法の提供。【解決手段】  映像信号の受信レベルが低下し、所定のレベル（Ｂ）に該当した場合には（ステップ４０３）、「受信レベルが低下しています」旨の警告を表示し（ステップ４０５）、所定時間（ｄ）経過の後に（ステップ４０６）、依然として受信レベルが回復していない場合には（ステップ４０７）、ブルーバック画面に切り替える（ステップ４０８）。当該機能の動作条件となる「Ｂ」や「ｄ」の値、及び、当該機能のオン・オフの設定（“ａ”の設定）をユーザ設定可能とすることで、個々のユーザの要望を反映した処理とする。【選択図】  図４
2006270880.tif 000002
【特許請求の範囲】
【請求項１】
各周波数の映像信号を受信するチューナ部と、前記チューナ部によって受信される映像信号に基づいて映像を表示する表示部と、前記チューナ部が受信した映像信号の信号レベルを判別する映像信号レベル判別部と、信号レベルの数値範囲が格納されている記憶部と、を備えることにより、前記映像信号レベル判別部によって判別される前記チューナ部によって受信された映像信号の信号レベルが、前記記憶部に格納されている信号レベルの数値範囲に該当する場合には、前記チューナ部によって受信される映像信号に替えて所定の映像を前記表示部に表示させる映像信号受信表示装置であって、オンスクリーン表示信号生成部を備えることによって、前記映像信号レベル判別部によって判別される前記チューナ部によって受信された映像信号の信号レベルが、前記記憶部に格納されている信号レベルの数値範囲に該当する場合には、前記チューナ部によって受信される映像信号に替えた所定の映像の表示に先立って、前記オンスクリーン表示信号生成部に、受信している映像信号が所定のレベルに該当するものとなっていることを表す文字情報若しくは映像情報を示すオンスクリーン表示信号を生成させ、これを前記表示部に表示させる、又は、前記記憶部にオンスクリーン表示させる信号レベルの数値範囲を格納することにより、前記映像信号レベル判別部によって判別される前記チューナ部によって受信された映像信号の信号レベルが、前記記憶部に格納されているオンスクリーン表示させる信号レベルの数値範囲に該当する場合には、前記オンスクリーン表示信号生成部に、受信している映像信号が所定のレベルに該当するものとなっていることを表す文字情報若しくは映像情報を示すオンスクリーン表示信号を生成させ、これを前記表示部に表示させることを特徴とする映像信号受信表示装置。
【請求項２】
タイマ部を備え、前記記億部に信号レベル維持時間を格納することにより、前記映像信号レベル判別部によって判別される前記チューナ部によって受信される映像信号の信号レベルが、前記記憶部に格納されている信号レベルの数値範囲に該当する場合に、当該該当している時間を前記タイマ部によって計測し、これが前記記億部に格納されている信号レベル維持時間を越えた場合に前記チューナ部によって受信される映像信号に替えて所定の映像を前記表示部に表示させることを特徴とする請求項１記載の映像信号受信表示装置。
【請求項３】
前記記憶部に、オンスクリーン表示させる信号レベルの数値範囲を複数格納することによって、それぞれの数値範囲に応じて異なるオンスクリーン表示を行わせることを特徴とする請求項１又は請求項２に記載の映像信号受信表示装置。
【請求項４】
操作部を備えることにより、前記チューナ部によって受信される映像信号に替えて所定の映像を前記表示部に表示させる機能のオン・オフの設定若しくは前記記憶部に格納する前記信号レベルの数値範囲若しくは前記オンスクリーン表示させる信号レベルの数値範囲若しくは前記信号レベル維持時間のうちの１つ又は複数について、前記操作部に対するユーザからの随時の入力により設定若しくは変更させる、又は、前記受信している映像信号が所定のレベルに該当するものとなっていることを表す文字情報若しくは映像情報を前記表示部に表示させた際にユーザからの入力を求め、これに対するユーザの前記操作部による入力により設定若しくは変更させることを特徴とする請求項１乃至請求項３の何れか１つに記載の映像信号受信表示装置。
【請求項５】
前記所定の映像がブルーバック画面であり、前記映像信号レベル判別部は、前記映像信号に含まれる同期信号を判別することにより若しくは中間周波増幅回路の利得を制御するＡＧＣ回路から出力されるＡＧＣ電圧の電圧値を判別することにより、前記チューナ部によって受信される映像信号の信号レベルを判別することを特徴とする請求項１乃至請求項４の何れか１つに記載の映像信号受信表示装置。
【請求項６】
各周波数の映像信号を受信するチューナ部と、前記チューナ部によって受信される映像信号に基づいて映像を表示する表示部と、前記チューナ部が受信した映像信号の信号レベルを判別する映像信号レベル判別部と、信号レベルの数値範囲が格納されている記憶部と、を備えることにより、前記映像信号レベル判別部によって判別される前記チューナ部によって受信された映像信号の信号レベルが、前記記憶部に格納されている信号レベルの数値範囲に該当する場合には、前記チューナ部によって受信される映像信号に替えて所定の映像を前記表示部に表示させる映像信号受信表示装置における映像信号レベルに応じた画面表示制御方法であって、前記映像信号レベル判別部によって判別される前記チューナ部によって受信された映像信号の信号レベルが、前記記憶部に格納されている信号レベルの数値範囲に該当する場合には、前記チューナ部によって受信される映像信号に替えた所定の映像の表示に先立って、受信している映像信号が所定のレベルに該当するものとなっていることを表す文字情報若しくは映像情報を前記表示部に表示させる、又は、前記記憶部にオンスクリーン表示させる信号レベルの数値範囲を格納することにより、前記映像信号レベル判別部によって判別される前記チューナ部によって受信された映像信号の信号レベルが、前記記憶部に格納されているオンスクリーン表示させる信号レベルの数値範囲に該当する場合には、受信している映像信号が所定のレベルに該当するものとなっていることを表す文字情報若しくは映像情報を前記表示部に表示させることを特徴とする映像信号レベルに応じた画面表示制御方法。
【請求項７】
前記記億部に信号レベル維持時間を格納することにより、前記映像信号レベル判別部によって判別される前記チューナ部によって受信される映像信号の信号レベルが、前記記憶部に格納されている信号レベルの数値範囲に該当する場合に、当該該当している時間が前記記億部に格納されている信号レベル維持時間を越えた場合に、前記チューナ部によって受信される映像信号に替えて所定の映像を前記表示部に表示させることを特徴とする請求項６記載の映像信号レベルに応じた画面表示制御方法。
【請求項８】
前記記憶部に、オンスクリーン表示させる信号レベルの数値範囲を複数格納することによって、それぞれの数値範囲に応じて異なるオンスクリーン表示を行わせることを特徴とする請求項６又は請求項７に記載の映像信号レベルに応じた画面表示制御方法。
【請求項９】
前記チューナ部によって受信される映像信号に替えて所定の映像を前記表示部に表示させる機能のオン・オフの設定若しくは前記記憶部に格納する前記信号レベルの数値範囲若しくは前記オンスクリーン表示させる信号レベルの数値範囲若しくは前記信号レベル維持時間のうちの１つ又は複数について、ユーザからの随時の入力により設定若しくは変更させる、又は、前記受信している映像信号が所定のレベルに該当するものとなっていることを表す文字情報若しくは映像情報を前記表示部に表示させた際にユーザからの入力を求め、これに対するユーザからの入力により設定若しくは変更させることを特徴とする請求項６乃至請求項８の何れか１つに記載の映像信号レベルに応じた画面表示制御方法。
【請求項１０】
前記所定の映像がブルーバック画面であり、前記映像信号レベル判別部は、前記映像信号に含まれる同期信号を判別することにより若しくは中間周波増幅回路の利得を制御するＡＧＣ回路から出力されるＡＧＣ電圧の電圧値を判別することにより、前記チューナ部によって受信される映像信号の信号レベルを判別することを特徴とする請求項６乃至請求項９の何れか１つに記載の映像信号レベルに応じた画面表示制御方法。
【発明の詳細な説明】
【技術分野】
【０００１】
本発明は、映像信号を受信してこれを表示させる装置に関し、特に、映像信号の受信レベルに応じて表示画面を変化させる映像信号受信表示装置若しくは画面表示制御方法に関する。
【背景技術】
【０００２】
映像信号（テレビジョン放送信号）を受信し、これを映像として表示させる映像表示装置（テレビ）では、受信した映像信号の信号レベルが低下すると、正常な映像としてこれを表示させることができなくなりノイズ画面となって見苦しいため、信号レベルが所定の値を下回った場合にはブルーバック画面を表示させること等が行われている。このような、受信した映像信号の信号レベルに応じた画面表示の制御に関する従来技術が特許文献１〜特許文献５などによって開示されている。
【０００３】
【特許文献１】特開平５−８３７２４号公報
【特許文献２】特開平６−９０４１１号公報
【特許文献３】特開２００２−２１８３３１号公報
【特許文献４】特開２００２−３５４４９５号公報
【特許文献５】実用新案登録第３０９８０６３号公報
【発明の開示】
【発明が解決しようとする課題】
【０００４】
上記した特許文献によって開示されている従来技術は、受信した映像信号に基づいた映像とブルーバック画面との切り替えに使用する閾値を２つ定めておくことで、映像信号に基づいた映像とブルーバック画面との切り替えが頻繁に発生することによる画面のちらつきを防止するもの（特許文献１）や、受信した映像信号が定められたレベルを下回った場合にメモリなどに記憶していた映像等を表示させるもの（特許文献２・特許文献３）や、映像信号が完全に入力されなくなった場合にのみブルーバック画面を表示させるもの（特許文献５）であり、何れの場合においても、装置に予め設定された条件に該当する（予め定められた閾値に信号レベルが該当する）場合には、一律に、画面表示を、受信している映像信号に基づいた映像から所定の映像（ブルーバック画面等）へと自動的に切り替えるものである。
【０００５】
しかし、ユーザ（視聴者）はそれぞれに個性を持っており、画面の映像にノイズが混入している状況において「見苦しいからブルーバック画面の方がいい」と感じるノイズのレベルはまちまちである。すなわち、ユーザによっては映像として判別できなくなる寸前まで見ていたいと思う者もいるであろうし、比較的少ないノイズ混入が生じた時点においても「ブルーバック画面の方がいい」という者も存在する。又、例えば特別に見たい番組があった場合などには「多少ノイズが強くても見たい」と思う場合もあり、同一のユーザであっても、場合によりその判断基準が変動することもある。これに対し、上記従来技術では、予め設定された条件に該当する場合には、ユーザに対する告知等をすることなく一律にブルーバック画面等へと自動的に切り替えてしまうため、個々のユーザの要望に応えられるものではなかった。
【０００６】
本発明は、上述した点に鑑み、映像信号の受信レベルに応じて表示画面を変化させる映像信号受信表示装置若しくは画面表示制御方法であって、個々のユーザの要望に応え得るユーザフレンドリーな映像信号受信表示装置若しくは画面表示制御方法を提供することを目的とする。
【課題を解決するための手段】
【０００７】
請求項１の映像信号受信表示装置は、各周波数の映像信号を受信するチューナ部と、前記チューナ部によって受信される映像信号に基づいて映像を表示する表示部と、前記チューナ部が受信した映像信号の信号レベルを判別する映像信号レベル判別部と、信号レベルの数値範囲が格納されている記憶部と、を備えることにより、前記映像信号レベル判別部によって判別される前記チューナ部によって受信された映像信号の信号レベルが、前記記憶部に格納されている信号レベルの数値範囲に該当する場合には、前記チューナ部によって受信される映像信号に替えて所定の映像を前記表示部に表示させる映像信号受信表示装置であって、オンスクリーン表示信号生成部を備えることによって、前記映像信号レベル判別部によって判別される前記チューナ部によって受信された映像信号の信号レベルが、前記記憶部に格納されている信号レベルの数値範囲に該当する場合には、前記チューナ部によって受信される映像信号に替えた所定の映像の表示に先立って、前記オンスクリーン表示信号生成部に、受信している映像信号が所定のレベルに該当するものとなっていることを表す文字情報若しくは映像情報を示すオンスクリーン表示信号を生成させ、これを前記表示部に表示させる、又は、前記記憶部にオンスクリーン表示させる信号レベルの数値範囲を格納することにより、前記映像信号レベル判別部によって判別される前記チューナ部によって受信された映像信号の信号レベルが、前記記憶部に格納されているオンスクリーン表示させる信号レベルの数値範囲に該当する場合には、前記オンスクリーン表示信号生成部に、受信している映像信号が所定のレベルに該当するものとなっていることを表す文字情報若しくは映像情報を示すオンスクリーン表示信号を生成させ、これを前記表示部に表示させることを特徴とする。
【０００８】
上記構成によれば、映像信号レベル判別部によって判別されるチューナ部によって受信された映像信号の信号レベルが、所定の信号レベル（信号レベルの数値範囲）に該当すると判別された場合には、チューナ部によって受信されている映像信号に替えて所定の映像（例えばブルーバック画面）を表示部に表示させる前に、「受信している映像信号が所定のレベルに該当するものとなっている」ことを示す画面がＯＳＤ表示され、又は、予め設定された信号レベル（オンスクリーン表示させる信号レベルの数値範囲）に該当すると判別された場合には、「受信している映像信号が所定のレベルに該当するものとなっている」ことが画面にＯＳＤ表示される（「オンスクリーン表示させる信号レベルの数値範囲」を「信号レベルの数値範囲」よりも広く設定することで、映像の切り替え処理の前にＯＳＤ表示が行われる）。
【０００９】
請求項２の映像信号受信表示装置は、請求項１記載の映像信号受信表示装置であって、タイマ部を備え、前記記億部に信号レベル維持時間を格納することにより、前記映像信号レベル判別部によって判別される前記チューナ部によって受信される映像信号の信号レベルが、前記記憶部に格納されている信号レベルの数値範囲に該当する場合に、当該該当している時間を前記タイマ部によって計測し、これが前記記億部に格納されている信号レベル維持時間を越えた場合に前記チューナ部によって受信される映像信号に替えて所定の映像を前記表示部に表示させることを特徴とする。
【００１０】
上記構成によれば、映像信号の信号レベルが、所定の信号レベル（信号レベルの数値範囲）に該当すると判別された場合であっても、その状態が所定時間（信号レベル維持時間）継続しない限り、チューナ部によって受信されている映像信号に替えた所定の映像の表示処理が行われない。
【００１１】
請求項３の映像信号受信表示装置は、請求項１又は請求項２に記載の映像信号受信表示装置であって、前記記憶部に、オンスクリーン表示させる信号レベルの数値範囲を複数格納することによって、それぞれの数値範囲に応じて異なるオンスクリーン表示を行わせることを特徴とする。
【００１２】
上記構成によれば、映像信号の信号レベルの変化に応じて、異なるオンスクリーン表示が行われる。
【００１３】
請求項４の映像信号受信表示装置は、請求項１乃至請求項３の何れか１つに記載の映像信号受信表示装置であって、操作部を備えることにより、前記チューナ部によって受信される映像信号に替えて所定の映像を前記表示部に表示させる機能のオン・オフの設定若しくは前記記憶部に格納する前記信号レベルの数値範囲若しくは前記オンスクリーン表示させる信号レベルの数値範囲若しくは前記信号レベル維持時間のうちの１つ又は複数について、前記操作部に対するユーザからの随時の入力により設定若しくは変更させる、又は、前記受信している映像信号が所定のレベルに該当するものとなっていることを表す文字情報若しくは映像情報を前記表示部に表示させた際にユーザからの入力を求め、これに対するユーザの前記操作部による入力により設定若しくは変更させることを特徴とする。
【００１４】
上記構成によれば、映像信号に替えて所定の映像を表示部に表示させる機能のオン・オフや、当該機能の動作条件の設定・変更を、ユーザが行うことができる。
【００１５】
請求項５の映像信号受信表示装置は、請求項１乃至請求項４の何れか１つに記載の映像信号受信表示装置であって、前記所定の映像がブルーバック画面であり、前記映像信号レベル判別部は、前記映像信号に含まれる同期信号を判別することにより若しくは中間周波増幅回路の利得を制御するＡＧＣ回路から出力されるＡＧＣ電圧の電圧値を判別することにより、前記チューナ部によって受信される映像信号の信号レベルを判別することを特徴とする。
【００１６】
上記構成によれば、映像信号の信号レベル状態の判別が、映像信号に含まれる同期信号を判別することにより若しくは中間周波増幅回路の利得を制御するＡＧＣ回路から出力されるＡＧＣ電圧の電圧値を判別することによって行われる。
【００１７】
請求項６の映像信号レベルに応じた画面表示制御方法は、各周波数の映像信号を受信するチューナ部と、前記チューナ部によって受信される映像信号に基づいて映像を表示する表示部と、前記チューナ部が受信した映像信号の信号レベルを判別する映像信号レベル判別部と、信号レベルの数値範囲が格納されている記憶部と、を備えることにより、前記映像信号レベル判別部によって判別される前記チューナ部によって受信された映像信号の信号レベルが、前記記憶部に格納されている信号レベルの数値範囲に該当する場合には、前記チューナ部によって受信される映像信号に替えて所定の映像を前記表示部に表示させる映像信号受信表示装置における映像信号レベルに応じた画面表示制御方法であって、前記映像信号レベル判別部によって判別される前記チューナ部によって受信された映像信号の信号レベルが、前記記憶部に格納されている信号レベルの数値範囲に該当する場合には、前記チューナ部によって受信される映像信号に替えた所定の映像の表示に先立って、受信している映像信号が所定のレベルに該当するものとなっていることを表す文字情報若しくは映像情報を前記表示部に表示させる、又は、前記記憶部にオンスクリーン表示させる信号レベルの数値範囲を格納することにより、前記映像信号レベル判別部によって判別される前記チューナ部によって受信された映像信号の信号レベルが、前記記憶部に格納されているオンスクリーン表示させる信号レベルの数値範囲に該当する場合には、受信している映像信号が所定のレベルに該当するものとなっていることを表す文字情報若しくは映像情報を前記表示部に表示させることを特徴とする。
【００１８】
請求項７の映像信号レベルに応じた画面表示制御方法は、請求項６記載の映像信号レベルに応じた画面表示制御方法であって、前記記億部に信号レベル維持時間を格納することにより、前記映像信号レベル判別部によって判別される前記チューナ部によって受信される映像信号の信号レベルが、前記記憶部に格納されている信号レベルの数値範囲に該当する場合に、当該該当している時間が前記記億部に格納されている信号レベル維持時間を越えた場合に、前記チューナ部によって受信される映像信号に替えて所定の映像を前記表示部に表示させることを特徴とする。
【００１９】
請求項８の映像信号レベルに応じた画面表示制御方法は、請求項６又は請求項７に記載の映像信号レベルに応じた画面表示制御方法であって、前記記憶部に、オンスクリーン表示させる信号レベルの数値範囲を複数格納することによって、それぞれの数値範囲に応じて異なるオンスクリーン表示を行わせることを特徴とする。
【００２０】
請求項９の映像信号レベルに応じた画面表示制御方法は、請求項６乃至請求項８の何れか１つに記載の映像信号レベルに応じた画面表示制御方法であって、前記チューナ部によって受信される映像信号に替えて所定の映像を前記表示部に表示させる機能のオン・オフの設定若しくは前記記憶部に格納する前記信号レベルの数値範囲若しくは前記オンスクリーン表示させる信号レベルの数値範囲若しくは前記信号レベル維持時間のうちの１つ又は複数について、ユーザからの随時の入力により設定若しくは変更させる、又は、前記受信している映像信号が所定のレベルに該当するものとなっていることを表す文字情報若しくは映像情報を前記表示部に表示させた際にユーザからの入力を求め、これに対するユーザからの入力により設定若しくは変更させることを特徴とする。
【００２１】
請求項１０の映像信号レベルに応じた画面表示制御方法は、請求項６乃至請求項９の何れか１つに記載の映像信号レベルに応じた画面表示制御方法であって、前記所定の映像がブルーバック画面であり、前記映像信号レベル判別部は、前記映像信号に含まれる同期信号を判別することにより若しくは中間周波増幅回路の利得を制御するＡＧＣ回路から出力されるＡＧＣ電圧の電圧値を判別することにより、前記チューナ部によって受信される映像信号の信号レベルを判別することを特徴とする。
【発明の効果】
【００２２】
本発明の請求項１の、各周波数の映像信号を受信するチューナ部と、前記チューナ部によって受信される映像信号に基づいて映像を表示する表示部と、前記チューナ部が受信した映像信号の信号レベルを判別する映像信号レベル判別部と、信号レベルの数値範囲が格納されている記憶部と、を備えることにより、前記映像信号レベル判別部によって判別される前記チューナ部によって受信された映像信号の信号レベルが、前記記憶部に格納されている信号レベルの数値範囲に該当する場合には、前記チューナ部によって受信される映像信号に替えて所定の映像を前記表示部に表示させる映像信号受信表示装置であって、オンスクリーン表示信号生成部を備えることによって、前記映像信号レベル判別部によって判別される前記チューナ部によって受信された映像信号の信号レベルが、前記記憶部に格納されている信号レベルの数値範囲に該当する場合には、前記チューナ部によって受信される映像信号に替えた所定の映像の表示に先立って、前記オンスクリーン表示信号生成部に、受信している映像信号が所定のレベルに該当するものとなっていることを表す文字情報若しくは映像情報を示すオンスクリーン表示信号を生成させ、これを前記表示部に表示させる、又は、前記記憶部にオンスクリーン表示させる信号レベルの数値範囲を格納することにより、前記映像信号レベル判別部によって判別される前記チューナ部によって受信された映像信号の信号レベルが、前記記憶部に格納されているオンスクリーン表示させる信号レベルの数値範囲に該当する場合には、前記オンスクリーン表示信号生成部に、受信している映像信号が所定のレベルに該当するものとなっていることを表す文字情報若しくは映像情報を示すオンスクリーン表示信号を生成させ、これを前記表示部に表示させることを特徴とする映像信号受信表示装置によれば、映像信号の信号レベルが、所定の信号レベル（信号レベルの数値範囲）に該当すると判別された場合には、所定の映像（例えばブルーバック画面）の表示処理の前に、「受信している映像信号が所定のレベルに該当するものとなっている」ことを示す画面がＯＳＤ表示されるため、ユーザが現在の装置（映像信号）の状態を知ることができ、ユーザフレンドリーな装置を提供することができる。
【００２３】
本発明の請求項２の、タイマ部を備え、前記記億部に信号レベル維持時間を格納することにより、前記映像信号レベル判別部によって判別される前記チューナ部によって受信される映像信号の信号レベルが、前記記憶部に格納されている信号レベルの数値範囲に該当する場合に、当該該当している時間を前記タイマ部によって計測し、これが前記記億部に格納されている信号レベル維持時間を越えた場合に前記チューナ部によって受信される映像信号に替えて所定の映像を前記表示部に表示させることを特徴とする請求項１記載の映像信号受信表示装置によれば、映像信号の信号レベルが、所定の信号レベル（信号レベルの数値範囲）に該当すると判別された場合であっても、その状態が所定時間（信号レベル維持時間）継続しない限り、所定の映像（例えばブルーバック画面）の表示処理が行われないため、例えば、映像信号の信号レベルが“所定の信号レベル”を境として揺らいだような場合に画面切り替えが頻繁に生じ、画面がちらついて見難くなるといったことが防止される。
【００２４】
本発明の請求項３の、前記記憶部に、オンスクリーン表示させる信号レベルの数値範囲を複数格納することによって、それぞれの数値範囲に応じて異なるオンスクリーン表示を行わせることを特徴とする請求項１又は請求項２に記載の映像信号受信表示装置によれば、映像信号の信号レベルの変化に応じて、異なるオンスクリーン表示が行われるため、例えば、映像信号の信号レベルが徐々に低下しているような場合に「受信レベルが低下しつつあります」という表示を最初に行いその後に「映像を表示できる受信レベルではありません」等の表示を段階的に行わせることができ、よりユーザの利便性に優れる。
【００２５】
本発明の請求項４の、操作部を備えることにより、前記チューナ部によって受信される映像信号に替えて所定の映像を前記表示部に表示させる機能のオン・オフの設定若しくは前記記憶部に格納する前記信号レベルの数値範囲若しくは前記オンスクリーン表示させる信号レベルの数値範囲若しくは前記信号レベル維持時間のうちの１つ又は複数について、前記操作部に対するユーザからの随時の入力により設定若しくは変更させる、又は、前記受信している映像信号が所定のレベルに該当するものとなっていることを表す文字情報若しくは映像情報を前記表示部に表示させた際にユーザからの入力を求め、これに対するユーザの前記操作部による入力により設定若しくは変更させることを特徴とする請求項１乃至請求項３の何れか１つに記載の映像信号受信表示装置によれば、映像信号に替えて所定の映像を表示部に表示させる機能のオン・オフや、当該機能の動作条件の設定・変更をユーザが行うことができるため、個々のユーザの要望を反映した動作処理を装置に行わせることができ、ユーザの利便性に優れる。
【発明を実施するための最良の形態】
【００２６】
以下、本発明の具体的実施例について、図面を参照しながら説明する。なお、以下の実施態様は、本発明を具体化する際の一形態であって、本発明をその範囲内に限定するためのものではない。
【実施例１】
【００２７】
図１は本実施例の液晶表示装置（以下単にＬＣＤ）の本発明に関する構成の概略を示したブロック図であり、図２は同ＬＣＤの外観を示す斜視図である。図３及び図４は同ＬＣＤの本発明に関する動作の概略を示すフローチャートである。
【００２８】
本実施例のＬＣＤ１は、図１に示されるように、各周波数の映像信号（ＲＦ信号）を受信するチューナ部１１と、外部機器（例えば、ＤＶＤレコーダなどの記録再生装置）との接続のための外部入出力端子部１３と、チューナ部１１若しくは外部入出力端子部１３からの信号を切り替えて出力する入力切り替え部１４と、ＲＦ信号からＩＦ（中間周波）信号への変換を行うＩＦ回路１２と、ＩＦ信号の増幅を行う中間周波増幅回路（図示せず）の利得を制御するＡＧＣ回路１５と、マイコン１６と、表示部１７と、当該表示部１７の画面表示動作を制御する画面制御部１８と、装置への入力インターフェースである操作部１９及び同じく入力インターフェースとなるリモコン装置２からの信号を受信する受光部２０などを備える。マイコン１６には、装置全体の制御等を行う制御部１６１と、ＩＦ信号から、表示部１７へ映像を表示させるための映像信号の生成（同期信号の分離や、輝度信号・色信号の抽出処理を経たＲＧＢ信号の生成等）処理などを行う映像信号処理部１６２と、映像信号処理部１６２によって分離された同期信号を検出して当該検出結果（１秒当たりの同期信号の数）を出力するＳＤ検出部１６３と、当該ＳＤ検出部１６３から出力される信号（１秒当たりの同期信号の数）若しくはＡＧＣ回路１５から出力されるＡＧＣ電圧を所定の値と比較することによって、受信している映像信号の信号レベルの判別を行う映像信号レベル判別部１６４と、記憶手段である記憶部１６５と、計時手段であるタイマ部１６６と、オンスクリーン表示（以下単にＯＳＤ）信号を生成するＯＳＤ信号生成部１６７と、操作部１９又は受光部２０からの信号を判別して出力するキー判別部１６８などが備えられる。
【００２９】
図３を参照しつつ、本実施例のＬＣＤ１における、映像信号レベル低下時にブルーバック画面（所定の映像）を表示させる機能のオン・オフや、当該機能の動作条件の設定・変更処理について説明する。本実施例では、当該設定・変更処理は、ユーザからの随時の設定・変更要求に従って行われるものであり、ステップ３０１においてユーザからの変更要求（操作部１９若しくはリモコン装置２に対する“メニュー画面”呼び出し操作）を待ち、これがあった場合に図５（ａ）に示されるような画面を表示させる（ステップ３０２）。なお、ユーザからの各種指示や各情報の取得動作は、表示画面に従う等してユーザがリモコン装置２や操作部１９を操作することで、キー判別部１６８・制御部１６１によって判別・取得される。以下の動作説明中の各種指示や各情報の取得動作においても同様である。
【００３０】
ステップ３０３では、ユーザが「映像信号レベル低下時にブルーバック画面を表示させる機能」をオンとすることを選択したか否かを判別し、「オン」であった場合にはステップ３０４へと移行して変数ａに１を代入し、記憶部１６５に格納する（以下、各種設定を取得した際にも同様に記憶部１６５に格納する）。一方、「オフ」であった場合には、これ以上当該機能に関する設定をさせる必要が無いため、ステップ３０５へと移行して変数ａに０を代入した上で、ステップ３０１へと戻り、再度の設定変更要求を待つ。ステップ３０４に続くステップ３０６では、ブルーバック画面に切り替える条件となる「信号レベル範囲」を取得してＢに格納する。
【００３１】
本実施例では、映像信号の信号レベル状態を、映像信号に含まれる同期信号（本実施例では垂直同期信号とするが水平同期信号であっても構わない）の数（ＳＤ検出部１６３から出力されるＳＤ信号）によって判別するものとしており、垂直同期信号の周波数が６０Ｈｚである場合には、最も良好な受信状態である場合のＳＤ信号は“６０”となる。これに対し、信号レベルが低下して（波形がなまって）くると同期信号を検出できない場合があり、その結果、１秒間に検出される垂直同期信号の数が“６０”を下回る傾向となる。一方で、信号レベルが低下している場合には、ノイズ成分を同期信号と誤判別してしまう場合があり、この場合は１秒間に検出される垂直同期信号の数が“６０”を上回る傾向となる。このように映像信号の信号レベルが低下すると、検出される垂直同期信号の数が変動し、この変動幅が大きくなると表示部１７に表示される画像のノイズレベルも増大する。図６（ａ）に垂直同期信号の数（ＳＤ信号）と映像（表示部１７に表示される画像）レベルの関係の一例を示した。ステップ３０６におけるブルーバック画面に切り替える条件となる「信号レベル範囲」の取得においては、図５（ａ）に示されるように直接垂直同期信号の具体的数値範囲をユーザに指定させるようにしてもよいが、一般的なユーザは図６（ａ）に示すような関係を知らないのが普通であるため、図６（ｂ）に示すような、「ＳＤ信号の数値範囲」とこれに対応する「表示コメント」が格納されたテーブルを記憶部１６５に格納しておき、「表示コメント」を、図５（ａ）の“２．信号レベル範囲”に対応する項目として画面表示（「５５〜６５」等の数値の代わりにコメントを表示）させた上でユーザの選択を求め、ユーザの選択した「表示コメント」に対応する「ＳＤ信号」の数値範囲をＢに格納するようにする等してもよい。なお、図６（ｂ）中の「表示コメント」における“ＢＢ画面”とは、“ブルーバック画面”のことである（以下における“ＢＢ”も同様にブルーバックを意味する）。
【００３２】
ステップ３０６に続くステップ３０７では、ユーザが「ブルーバック画面への切り替え時に警告表示をする機能」をオンとすることを選択したか否かを判別し、「オン」であった場合にはステップ３０８へと移行して変数ｃに１を代入し、当該警告の表示時間の設定を取得して変数ｄに代入して（ステップ３１０）、設定処理を終了しステップ３０１へと戻る。一方、ステップ３０７における判断が否定であった場合には、ステップ３０９へと移行して変数ｃに０を代入した上で設定処理を終了し、ステップ３０１へと戻る。
【００３３】
次に、図４を参照しつつ、本実施例のＬＣＤ１における、映像信号レベル低下時にブルーバック画面（所定の映像）を表示させる機能の動作の概略について説明する。ステップ４０１では、ａが１であるか否か（ブルーバック機能がオンであるか否か）を判別し、「オン」である場合にステップ４０２へと移行し映像信号（チューナ部１１によって受信されている信号）の信号レベルの検出を行う。当該信号レベルの検出は、前述したごとくＳＤ検出部が出力するＳＤ信号の判別によって行われる（なお、以降のステップ４０７やステップ４１０においても信号レベルの判別処理があるが、簡略化のため「受信信号レベル検出」というステップの記載を省略している）。続くステップ４０３では、映像信号レベル判別部１６４によるＳＤ信号の判別が行われ、当該判別の結果、信号レベルがＢに該当している場合にはステップ４０１へと戻り、該当しない場合（即ち、ブルーバック画面に切り替える条件に該当している場合）にはステップ４０４へと移行する。ステップ４０４では、ｃが１であるか否か（警告表示機能がオンであるか否か）を判別し、これがオフであった場合はステップ４０８へと移行し、制御部１６１及び映像信号処理部１６２によってブルーバック画面表示処理を行う。一方、警告表示機能がオンである場合には図５（ｂ）のような画面を表示させ、タイマ部１６６にタイマ１をスタートさせる（ステップ４０５）。当該表示処理は、ＯＳＤ信号生成部１６７によって「所定時間内（“ｄ”の値）に信号レベルが回復しない場合はブルーバック画面とする」旨のＯＳＤ信号を生成させ、これを映像信号処理部１６２によって受信映像信号（チューナ部１１によって受信されている信号）に重畳して表示部１７に表示させる（映像に重畳して文字が表示される）ことにより行われる。
【００３４】
ステップ４０６では、タイマ１がｄ（警告表示時間）を経過したか否かの判別を行い、これを経過した場合には、この時点で依然として信号レベルがＢに該当していない状態であるかの判別を行い（ステップ４０７）、Ｂに該当している場合にはブルーバック画面表示処理を行うことなくステップ４０１へと戻る（この際に「信号レベルが回復したため映像表示を継続します」旨の画面表示を行うなどしてもよい）。ステップ４０７における判断が肯定であった場合には、ステップ４０８へと移行してブルーバック画面表示処理を行う。ステップ４０９では、ａが１であるか否かの判別を行い、０である場合にはステップ４１１において、チューナ部１１によって受信されている映像信号の表示処理（ブルーバック表示中止）を行った上でステップ４０１へと戻る。これは、図３の処理がユーザによって随時行われる可能性があるため、これによりブルーバック機能をオフとされた（ａが０とされた）場合には、ブルーバック表示をやめさせるためである（同様の理由により、ａが０となっているか否かの判別をステップ４０６のループ処理中において行っても良い）。ステップ４０９における判断で、ａが１であった場合には、信号レベルがＢに該当しているか否かの判別が行われ（ステップ４１０）、該当しない場合にはステップ４０９へと戻り、該当する（受信信号レベルが回復した）場合には、ステップ４１１へと移行して、チューナ部１１が受信している映像信号の表示処理（ブルーバック表示中止）を行った上でステップ４０１へと戻り、処理を繰り返す。
【００３５】
以上のごとく、本実施例のＬＣＤ１によれば、受信している映像信号の信号レベルが、所定のレベルに該当すると判別された場合には、ブルーバック画面の表示処理の前に、「受信している映像信号が所定のレベルに該当するものとなっている」ことを示す画面がＯＳＤ表示（警告表示）されるため、ユーザは、現在の装置（映像信号）の状態を知ることができる。また、ブルーバック機能のオン・オフや、当該機能の動作条件の設定・変更をユーザが行うことができるため、個々のユーザの要望を反映した動作処理を装置に行わせることができ、ユーザの利便性に優れる。加えて、警告表示がされている間はブルーバック画面への切り替え処理が行われないため、映像信号の信号レベルが“所定の信号レベル”を境として揺らいだような場合に画面切り替えが頻繁に生じ、画面がちらついて見難くなるといったことが抑止される。
【００３６】
なお、本実施例では、受信信号レベルの判別をＳＤ信号によって行うものとしているが、ＡＧＣ回路１５から出力されるＡＧＣ電圧の電圧値によって行うものとしても良い（ＡＧＣ回路１５は、受信信号の信号レベルを所定のレベルに変換（維持）するものであり、ＡＧＣ電圧は受信信号の信号レベルが低下するにしたがい高くなるものであるため、これを利用して受信信号レベルの判別を行うことができる）。また、図４のステップ４０３で取得する信号レベル範囲（Ｂの値）を、“受信映像信号を表示し続ける”信号レベル範囲としているが、“ブルーバック画面を表示する”信号レベル範囲を取得するようにしてもよい（同一の概念である）。
【実施例２】
【００３７】
図７及び図８・図９は本実施例のＬＣＤの本発明に関する動作の概略を示すフローチャートである。なお、本実施例のＬＣＤの構成は実施例１と同様であるためここでの説明を省略し、必要があるときは図１などを参照して説明する。
【００３８】
図７を参照しつつ、本実施例のＬＣＤにおける、映像信号レベル低下時にブルーバック画面（所定の映像）を表示させる機能のオン・オフや、当該機能の動作条件の設定・変更処理について説明する。なお、実施例１（図３）と同様の処理概念となるものについては同一の符号を使用し、ここでの説明を省略する。ステップ３０２における設定画面表示処理において、図１０（ａ）に示されるような画面を表示し、ステップ７０１において、「信号レベル維持時間」を取得してこれを変数ｅに格納する。なお、実施例１（図３）におけるステップ３１０の処理（警告表示時間の取得）は行わない。
【００３９】
次に、図８及び図９を参照しつつ、本実施例のＬＣＤにおける、映像信号レベル低下時にブルーバック画面（所定の映像）を表示させる機能の動作の概略について説明する。なお、実施例１（図４）と同様の処理概念となるものについては同一の符号を使用し、ここでの説明を省略する。ステップ４０３において、チューナ部１１によって受信されている映像信号の信号レベルがＢに該当しない（即ち、ブルーバック画面に切り替える条件に該当している）と判別された場合には、ステップ８０１へと移行し、タイマ部１６６にタイマ２をスタートさせる。ステップ８０２では、ｃが１であるか否か（警告表示機能がオンであるか否か）を判別し、これがオフであった場合はステップ８０８とステップ８０９のループ処理へと移行し、タイマ２が“ｅ（信号レベル維持時間）”を経過する前に信号レベルがＢに該当するようになった場合には（ＢＢ画面表示処理を行うことなく）ステップ４０１へと戻る。一方、タイマ２が“ｅ”を経過した場合には、ステップ４０８へと移行してブルーバック画面表示処理を行う。
【００４０】
ステップ８０２における判断が肯定であった（警告表示機能がオン）場合には、図１０（ｂ）に示されるような画面を表示（ステップ８０３）して、ユーザからの「ブルーバック画面への切り替え処理」をさせない旨の指示（本実施例ではリモコン装置２に備えられるＥｎｔｅｒキーの入力）を受付け、これがあった場合にはステップ８０５へと移行して（ステップ８０４）、ａに０を代入して（ＢＢ機能をオフとして）ステップ４０１へと戻る。指示がなかった場合にはステップ８０６へと移行して信号レベルが依然としてＢに該当していないことを確認し、Ｂに該当する場合には（ＢＢ画面表示処理を行うことなく）ステップ４０１へと戻り、該当していない場合にはステップ８０７へと移行する。ステップ８０７では、タイマ２が“ｅ（信号レベル維持時間）”を経過したか否かを判別し、経過前である場合にはステップ８０３へと戻って処理を繰り返し、経過した場合にはステップ４０８へと移行してブルーバック画面表示処理を行う。
【００４１】
ブルーバック画面が表示されている状態において、信号レベルがＢに該当した場合には（ステップ４１０）、タイマ３をスタートして（ステップ８１０）、ステップ８１１とステップ８１２のループ処理へと移行し、タイマ３が“ｅ（信号レベル維持時間）”を経過する前に信号レベルがＢに該当しなくなった場合には（受信映像表示処理を行うことなく）ステップ４０９へと戻る。一方、信号レベルがＢを維持したまま、タイマ３が“ｅ”を経過した場合には、ステップ４１１へと移行してチューナ部１１が受信している映像信号の表示処理（ブルーバック表示中止）を行った上でステップ４０１へと戻り、処理を繰り返す。
【００４２】
以上のごとく、本実施例によれば、映像信号の信号レベルが、所定の信号レベル（信号レベル範囲）に該当すると判別された場合であっても、その状態が所定時間（信号レベル維持時間）継続しない限り、ブルーバック画面への切り替え処理が行われないため、例えば、映像信号の信号レベルが“所定の信号レベル”を境として揺らいだような場合に、画面切り替えが頻繁に生じ、画面がちらついて見難くなるといったことが抑止される。また、映像信号の信号レベルが、所定の信号レベル（信号レベル範囲）に該当すると判別された場合には、ブルーバック機能をオフとさせる設定変更を受け付けるため、個々のユーザの要望を反映した動作処理を装置に行わせることができ、ユーザの利便性に優れる。
【００４３】
なお、映像信号の信号レベルが、所定の信号レベル（信号レベル範囲）に該当すると判別された場合に、ブルーバック機能の「オン」・「オフ」の選択を行わせ、ユーザが「オン」を積極的に選択した場合には、所定時間（信号レベル維持時間）の経過を待たずに即座にブルーバック画面へと切り替えるような処理としてもよいし、ブルーバック機能のオン・オフの設定だけでなく、その他の設定事項の変更を受け付ける画面を自動的に表示させても良い（例えば図７の処理を自動的に起動させても良い）。
【実施例３】
【００４４】
図１１及び図１２・図１３は本実施例のＬＣＤの本発明に関する動作の概略を示すフローチャートである。なお、本実施例のＬＣＤの構成は実施例１と同様であるためここでの説明を省略し、必要があるときは図１などを参照して説明する。
【００４５】
図１１を参照しつつ、本実施例のＬＣＤにおける、映像信号レベル低下時にブルーバック画面（所定の映像）を表示させる機能のオン・オフや、当該機能の動作条件の設定・変更処理について説明する。なお、実施例２（図７）と同様の処理概念となるものについては同一の符号を使用し、ここでの説明を省略する。ステップ３０２における設定画面表示処理において、図１４（ａ）に示されるような画面を表示し、ユーザが「警告表示をする機能」をオンとすることを選択した場合には、ステップ３０８を経てステップ１１００へと移行し、図１４（ｂ）に示されるような「警告表示をする機能」に関する詳細設定画面を表示させ、通常信号レベル範囲を取得してＦに格納し、レベル１信号レベル範囲を取得してＧに格納し、レベル２信号レベル範囲を取得してＨに格納する（ステップ１１０１）。「通常信号レベル範囲」とは、信号レベルがこの範囲内に該当している場合にはチューナ部１１によって受信されている映像信号の表示処理を続行させるもの（即ち受信状態が良好であることを示す範囲）である。「レベル１信号レベル範囲」及び「レベル２信号レベル範囲」は、信号レベルがこの範囲内に該当している場合にはチューナ部１１によって受信されている映像信号の表示処理を続行させつつも、信号レベルが低下している旨の警告をＯＳＤ表示させる（映像に重畳させて表示させる）ものであり、それぞれのレベルに該当した場合にそれぞれに対応する警告（表示コメント）がＯＳＤ表示される。なお、本実施例では、“詳細設定”でユーザによって設定されるのは、「通常信号レベル範囲」・「レベル１信号レベル範囲」・「レベル２信号レベル範囲」のそれぞれの数値範囲であり（「ＢＢ切り替え時」の数値範囲は、図１４（ａ）の「信号レベル範囲」で得られた数値が反映される）、「表示コメント（警告）」については予め記憶部１６５に格納されており、設定で得られた各数値と関連付けられて記憶される。
【００４６】
次に、図１２及び図１３を参照しつつ、本実施例のＬＣＤにおける、映像信号レベル低下時にブルーバック画面（所定の映像）を表示させる機能の動作の概略について説明する。なお、実施例２（図８及び図９）と同様の処理概念となるものについては同一の符号を使用し、ここでの説明を省略する。ステップ４０２（受信信号レベルの検出）の後に、ｃが１であるか否か（警告表示機能がオンであるか否か）を判別し（ステップ１２０１）、これがオフであった場合はステップ４０３へと移行して、以下実施例２（図８及び図９）と同様の処理を行う。一方、ステップ１２０１における判断が肯定であった（警告表示機能がオン）場合には、ステップ１２０２へと移行して、信号レベルがＦ（通常信号レベル範囲）に該当するか否かの判断を行い、該当する場合（即ち、受信状態が良好である場合）にはステップ４０１へと戻り、該当しない場合にはステップ１２０３へと移行する。ステップ１２０３では、信号レベルがＧ（レベル１信号レベル範囲）に該当するか否かの判断を行い、該当する場合にはこれに対応する警告（「受信信号レベルが低下しつつあります。」）をＯＳＤ表示させ（ステップ１２０４）、該当しない場合にはステップ１２０５へと移行する。ステップ１２０５では、信号レベルがＨ（レベル２信号レベル範囲）に該当するか否かの判断を行い、該当する場合にはこれに対応する警告（「受信信号レベルが低下し、正常画面を表示できない場合があります。」）をＯＳＤ表示させ（ステップ１２０６）、該当しない場合にはステップ４０３へと移行する。
【００４７】
ステップ４０３では、信号レベルがＢに該当するか否かの判断を行い、これに該当しない場合（即ち、ブルーバック画面に切り替える条件に該当している場合）には、ステップ８０１へと移行して、以下実施例２（図８及び図９）と同様の処理を行う。一方、ステップ４０３における判断が肯定であった場合（即ち、一旦は信号レベルが悪化する傾向を示したが、その後、ＢＢ画面に切り替える条件に該当するまでは信号レベルが悪化しなかった場合）には、ステップ４０１へと戻って処理を繰り返す。
【００４８】
以上のごとく、本実施例によれば、映像信号の信号レベルの変化に応じて、異なる警告のオンスクリーン表示が行われるため（映像信号の信号レベルが徐々に低下しているような場合に「受信レベルが低下しつつあります」という表示を最初に行いその後に「映像を表示できる受信レベルではありません」等の表示を段階的に行わせることができるため）、よりユーザの利便性に優れる。
【００４９】
なお、本実施例では、警告（表示コメント）はあらかじめ定められた（記憶部１６５に予め格納されている）文言としたが、表示コメントの内容をユーザに設定・変更可能なようにしても良いし、文言だけでなく、キャラクター表示をさせる等してもよい。また、実施例中では「映像信号受信表示装置」の具体例として液晶表示装置を用いて説明したが、本発明をこれに限るものではなく、他の方式の表示装置（例えば、ＣＲＴ表示装置や、プラズマディスプレイパネル等）にも本発明を有効に適用することができる。
【図面の簡単な説明】
【００５０】
【図１】液晶表示装置の本発明に関する構成の概略を示したブロック図
【図２】液晶表示装置の外観を示す斜視図
【図３】実施例１のＬＣＤの画面表示制御機能の動作条件の設定・変更処理動作の概略を示すフローチャート
【図４】実施例１のＬＣＤの画面表示制御機能の動作の概略を示すフローチャート
【図５】画面表示の一例を示す図
【図６】図（ａ）：信号レベルに応じたノイズレベルの一例を示す表、図（ｂ）：記憶部１６５に格納するテーブルの一例
【図７】実施例２のＬＣＤの画面表示制御機能の動作条件の設定・変更処理動作の概略を示すフローチャート
【図８】実施例２のＬＣＤの画面表示制御機能の動作の概略を示すフローチャート
【図９】実施例２のＬＣＤの画面表示制御機能の動作の概略を示すフローチャート
【図１０】画面表示の一例を示す図
【図１１】実施例３のＬＣＤの画面表示制御機能の動作条件の設定・変更処理動作の概略を示すフローチャート
【図１２】実施例３のＬＣＤの画面表示制御機能の動作の概略を示すフローチャート
【図１３】実施例３のＬＣＤの画面表示制御機能の動作の概略を示すフローチャート
【図１４】画面表示の一例を示す図
【符号の説明】
【００５１】
１      液晶表示装置（映像信号受信表示装置）
２      リモコン装置
１１    チューナ部
１２    ＩＦ回路
１５    ＡＧＣ回路
１７    表示部
１９    操作部
１６１  制御部
１６２  映像信号処理部
１６３  ＳＤ検出部
１６４  映像信号レベル判別部
１６５  記憶部
１６６  タイマ部
１６７  ＯＳＤ信号生成部（オンスクリーン表示信号生成部）
【図１】
2006270880.tif 000003
【図２】
2006270880.tif 000004
【図３】
2006270880.tif 000005
【図４】
2006270880.tif 000006
【図５】
2006270880.tif 000007
【図６】
2006270880.tif 000008
【図７】
2006270880.tif 000009
【図８】
2006270880.tif 000010
【図９】
2006270880.tif 000011
【図１０】
2006270880.tif 000012
【図１１】
2006270880.tif 000013
【図１２】
2006270880.tif 000014
【図１３】
2006270880.tif 000015
【図１４】
2006270880.tif 000016